(57)【特許請求の範囲】
【請求項１】
吸込口本体は、掃除機本体に接続される連通管と、前記連通管に接続される基台と、該基台にたいして異なる回動中心を各々回動部として回動可能に支持され左右に配置された可動吸込口体左と、可動吸込口体右とで構成され、前記可動吸込口体右と、前記可動吸込口体左とは、前記連通管に連なる吸込口及び吸い込み通路を各々有し、該各々の吸込口及び吸い込み通路の吸引圧力が、前記可動吸込口体左又は前記可動吸込口体右の回動によって変化せず、常に一定となり、且つ前記可動吸込口体左及び前記可動吸込口体右は、外部から力が加わると、掃除方向にたいして前後に回動する可変形態に変化し、外部からの力が除かれると、初期の状態に復帰するものであって、前記基台は、前記初期の状態で、前記可動吸込口体左の前方側面及び前記可動吸込口体右の前方側面よりも前方に突出していないことを特徴とする吸込口本体。
【請求項２】
可動吸込口体左及び可動吸込口体右は、基台にたいしてそれぞれ吸引口の周りを回動部として支持されていることを特徴とする請求項１に記載の吸込口本体。
【請求項３】
可動吸込口体左と可動吸込口体右の少なくとも一方の吸込口の内周面に、溝部又は突起部を設け、前記溝部又は前記突起部によって、前記可動吸込口体左の吸込口又は前記可動吸込口体右の吸込口近傍に絡まっている塵埃の除去を促進することを特徴とする請求項１又は２に記載の吸込口本体。
【請求項４】
電動送風機と、請求項１〜３のいずれか１項に記載の吸込口本体とを備え、前記電動送風機と前記吸込口本体とを連通させたことを特徴とする電気掃除機。
【発明の詳細な説明】
【技術分野】
【０００１】
本発明は、電気掃除機用の吸込口本体と、この吸込口本体を用いた電気掃除機に関するものである。
【背景技術】
【０００２】
従来より、電気掃除機の吸込口本体を家具の隙間等に入り込ませるために、吸込口本体が変形するようにした真空掃除機用吸込みノズルが知られている（特許文献１）。この真空掃除機用吸込みノズルは、中央に吸込口を有する吸込口本体と、この吸込口本体の左右に各々吸込口を有する可動体とを有するものであって、狭い場所の掃除をする場合には、左右の可動体が吸込口本体を支点として後方に可動し、中央の吸込口本体の吸込口によって塵埃を吸引する構成となっており、後方に可動した左右の可動体の吸込口からは塵埃を吸引することはできない構成となっている。
【０００３】
また、別の従来例として、中央部に設けられた吸込口と連通する吸込口を有する左右の可動体を有し、狭い場所を掃除する場合には、左右の可動体が中央部を支点として後方に可動すると共に、左右の可動体の吸込口から塵埃を吸引する構成を有する電気掃除機用吸い込みヘッド及びこの吸い込みヘッドを有する電気掃除機が知られている（特許文献２）。
【０００４】
また、別の従来例として、中央部に設けられた吸込口と連通する吸込口を有する左右の可動体を有し、隅角部や家具等と衝接時や、狭い場所を掃除する場合には、左右の可動体が略中央部を支点として本体の角部端縁の延長線上まで後方に可動すると共に、左右の可動体の吸込口から塵埃を吸引する構成を有する電気掃除機用吸込口が知られている（特許文献３）。
【先行技術文献】
【特許文献】
【０００５】
【特許文献１】特許第３８３８５０９号公報
【特許文献２】特開２０００−７９０８０号公報
【特許文献３】実開昭５７−５４３４６号公報
【発明の概要】
【発明が解決しようとする課題】
【０００６】
しかしながら、上記特許文献１に開示されている技術においては、後方に可動した左右の可動体が塵埃を吸い込む構成となっていないので、狭い場所に潜り込ませた後の清掃時間が長くなるという課題を有していた。また、左右の可動体は、後方に可動するのみであり、前方に可動する構成にはなっていなかった。その為、狭い場所に潜り込ませた後に、吸込みノズルを戻す時に、左右の可動体が家具等に引っ掛かり、吸込みノズルを戻す事ができなくなるという課題を有していた。さらにまた、可動により吸込口に至る隙間ができ、吸引流速が変わる事により、吸引圧力が低下するという課題を有していた。
【０００７】
また、上記特許文献２に開示されている技術においては、後方に可動した左右の可動体の吸込口が塵埃を吸い込む構成となっているものの、左右の可動体の吸い込み通路とベースとの間に形成された連通口の幅が、左右の可動体が可動する前の状態よりも広がる為に吸引流速が変わる事により、左右の吸込口及び吸い込み通路の吸引圧力が一定にはならないという課題を有していた。また、左右の可動体は、後方に可動するのみであり、前方に可動する構成にはなっていなかった。その為、狭い場所に潜り込ませた後に、吸込みノズルを戻す時に、左右の可動体が家具等に引っ掛かり、吸込みノズルを戻す事ができなくなるという課題を有していた。
【０００８】
また、上記特許文献３に開示されている技術においては、後方に左右の可動体が可動する事により、左右の可動体が可動する前の状態よりも吸込口の体積が変わるので、吸引流速が変わる事により、吸引圧力が変わり、左右の吸込口及び吸い込み通路の吸引圧力が一定にはならないという課題を有していた。また、左右の可動体は、後方に可動するのみであり、前方に可動する構成にはなっていなかった。その為、狭い場所に潜り込ませた後に、吸込みノズルを戻す時に、左右の可動体が家具等に引っ掛かり、吸込みノズルを戻す事ができなくなるという課題を有していた。
【０００９】
本発明は、上記のような課題を解決する為になされたもので、狭い場所を清掃する場合に、左右の可動体を前方及び後方に可動させることができると共に、吸引圧力を常に一定に保つことができる吸込口本体と、この吸込口本体を用いた電気掃除機を提供することを目的としている。
【課題を解決するための手段】
【００１０】
上記従来の課題を解決する為に、請求項１に記載の発明は、吸込口本体は、掃除機本体に接続される連通管と、前記連通管に接続される基台と、該基台にたいして異なる回動中心を各々回動部として回動可能に支持され左右に配置された可動吸込口体左と、可動吸込口体右とで構成され、前記可動吸込口体右と、前記可動吸込口体左とは、前記連通管に連なる吸込口及び吸い込み通路を各々有し、該各々の吸込口及び吸い込み通路の吸引圧力が、前記可動吸込口体左又は前記可動吸込口体右の回動によって変化せず、常に一定となり、且つ前記可動吸込口体左及び前記可動吸込口体右は、外部から力が加わると、掃除方向にたいして前後に回動する可変形態に変化し、外部からの力が除かれると、初期の状態に復帰するものであって、前記基台は、前記初期の状態で、前記可動吸込口体左の前方側面及び前記可動吸込口体右の前方側面よりも前方に突出していないことを特徴としている。可動吸込口体左と、可動吸込口体右とは、前方及び後方に回動させて、塵埃を吸引することができるので、従来よりも清掃範囲を拡大させることができる。また、該各々の吸込口及び吸い込み通路の吸引圧力が、前記可動吸込口体左又は前記可動吸込口体右の回動によって変化せず、常に一定となる為、清掃時における吸込み性能を一定にできる。また、狭い場所を掃除する場合においても、狭い場所に潜り込ませた後に、吸込口本体を戻す時に、左右の可動体が家具等に引っ掛かっても、可動体が前方に回動するので、吸込口本体を戻す事ができ、効率的に清掃が実施できる。
【００１１】
また、可動吸込口体左又は可動吸込口体右の回動で、各々の吸引口及び吸い込み通路の吸引流速が変化しない為、吸引圧力が変化しないので、被清掃面に付着した塵埃を常に一定の吸引力で吸引することができる。また、吸引流速が変化しない為、乱流が発生せず、清掃時における清音化を実現できる。さらにまた、可動吸込口体左又は可動吸込口体右の回動においても各々の吸い込み通路が変化しないので、塵埃がつまりにくく、迅速かつ的確な清掃を実施できる。また、可動吸込口左及び可動吸込口右を可動させるためのスイッチ等を特別に設ける必要が無く、初期の状態に復帰させる場合も同様にスイッチ等を特別に設ける必要が無いので、狭い場所を清掃する清掃作業を迅速かつ容易に行うことができる。
【００１２】
また、請求項２の発明は、請求項１に記載の構成よりなる吸込口本体において、可動吸込口体左及び可動吸込口体右は、基台にたいしてそれぞれ吸引口の周りを回動部として支持されていることを特徴としている。吸引口の周りを回動部とすることによって、吸込口が２箇所にあるにも関わらず、吸込口本体が大型化せず、コンパクトな形状とすることができる。また、各々の吸込口及び吸い込み通路が重なり合うことがないように設計することができるので、各々の吸引口及び吸い込み通路の吸引流速が変化しない為、吸引圧力が変化せず、被清掃面に付着した塵埃を常に一定の吸引力で吸引することができる。また、吸い込み通路を短くする事もできる。なお、吸引口の周りに回動支点を設ける構造も考えられるが、本発明と同様の効果があり、前記構造は、本発明に含まれる。
【００１４】
また、請求項３の発明は、請求項１又は２に記載の構成よりなる吸込口本体において、可動吸込口体左と可動吸込口体右の少なくとも一方の吸込口の内周面に、溝部又は突起部を設け、前記溝部又は前記突起部によって、前記可動吸込口体左の吸込口又は前記可動吸込口体右の吸込口近傍に絡まっている塵埃の除去を促進することを特徴としている。したがって、髪の毛等の塵埃を溝部又は突起部に絡ませつつ、可動吸込口体左又は可動吸込口体右を可動させることにより、可動吸込口体左の吸込口又は可動吸込口体右の吸込口近傍に絡まっている塵埃の除去を促進させることができ、可動吸込口体左と可動吸込口体右の間に跨って髪の毛等の塵埃が付着するのを防ぐことができる。また、塵埃とは、家庭等で発生する髪の毛、ほこり、糸くず等の事であり、塵埃の除去を促進する事とは、絡まっている塵埃が完全にほぐれ、自然に吸い込まれる状態、あるいは絡まった塵埃が、人の手や工具等で、人工的に除去する事が容易になるような状態にする事である。
【００１５】
また、請求項４の発明は、電気掃除機の発明であって、電動送風機と、請求項１〜３のいずれか１項に記載の吸込口本体とを備え、前記電動送風機と前記吸込口本体とを連通させたことを特徴としている。したがって、従来よりも清掃範囲を拡大させることができ、被清掃面に付着した塵埃を常に一定の吸引力で吸引することができる電気掃除機を提供することができる。
【発明の効果】
【００１６】
請求項１の発明は、従来よりも狭い場所における清掃範囲を拡大させることができことができ、可動体が前方に回動するので、効率的に清掃が実施でき、被清掃面に付着した塵埃を常に一定の吸引力で吸引することができる。また、請求項２の発明は、吸込口本体が大型化せず、コンパクトな形状とすることができる。また、請求項３の発明は、可動吸込口体左と可動吸込口体右の間に跨って髪の毛等の塵埃が付着するのを防ぐことができる。また、請求項４の発明は、従来よりも清掃範囲を拡大させることができ、被清掃面に付着した塵埃を常に一定の吸引力で吸引することができる電気掃除機を提供することができる。
【図面の簡単な説明】
【００１７】
【図１】（ａ）は、本発明に係る吸込口本体の斜視図、（ｂ）は、同平面図、（ｃ）は、同背面図
【図２】本発明に係る吸込口本体の背面図
【図３】本発明に係る吸込口本体の背面図
【図４】（ａ）は、図１（ｂ）のＡ−Ａ断面図、（ｂ）は、同Ｂ−Ｂ断面図、（ｃ）は、同Ｃ−Ｃ断面図
【図５】本発明に係る吸込口本体の一部を示す平面図
【図６】本発明に係る吸込口本体の他の実施形態を示す平面図
【図７】本発明に係る吸込口本体を用いた電気掃除機を示す説明図
【発明を実施するための形態】
【００１８】
図１（ａ）は、本発明に係る吸込口本体の斜視図であり、（ｂ）は、同平面図、（ｃ）は、同背面図である。これらの図に示すように、本発明に係る吸込口本体１０は、掃除機本体に接続される連通管２と、この連通管２に接続される基台１と、この基台１にたいして回動可能に支持され左右に配置された可動吸込口体左３及び可動吸込口体右４とで構成されている。
【００１９】
可動吸込口体左３は、壁体左３ａによって、吸い込み通路左３ｂが形成されており、この吸い込み通路左３ｂの右端には、吸込口左３ｃが形成されている。また、可動吸込口体右４は、壁体右４ａによって、吸い込み通路右４ｂが形成されており、この吸い込み通路右４ｂの左端には、吸込口右４ｃが形成されている。そして、吸い込み通路左３ｂ、吸込口左３ｃ、吸い込み通路右４ｂ及び吸込口右４ｃは、連通管２に連なる構造となっており、可動吸込口体左３及び可動吸込口体右４によって捕捉された塵埃は、連通管２を経由して、後述する掃除機本体に収容される。
【００２０】
可動吸込口体左３と、可動吸込口体右４とは、各々、前ローラ５、清掃体６とを備えている。また、基台１は、後ローラ７を備えている。清掃体６は、被清掃面に付着した塵埃を掻き出す機能を有するものである。また、前ローラ５と後ローラ７とによって、吸込口本体１０の被清掃面における動きを円滑にしている。
【００２１】
また、吸い込み通路左３ｂの３箇所には、流入口左Ａ８ａ、流入口左Ｂ８ｂ、流入口左Ｃ８ｃが形成されている。同様にして、吸い込み通路右４ｂの３箇所には、流入口右Ａ９ａ、流入口右Ｂ９ｂ、流入口右Ｃ９ｃが形成されている。この流入口左Ａ８ａ、流入口左Ｂ８ｂ、流入口左Ｃ８ｃ、流入口右Ａ９ａ、流入口右Ｂ９ｂ及び流入口右Ｃ９ｃは、被清掃面に付着した塵埃と、空気とを吸込む機能を有するものである。
【００２２】
基台１は、基台本体１ａと、基台カバー１ｂとから構成されており、この基台本体１ａと、基台カバー１ｂとに固定された継手１１に連通管２が回動自在に接続されている。
【００２３】
図２は、可動吸込口体左３と可動吸込口体右４とが後方に可動した状態の吸込口本体１０を示す背面図である。また、図３は、可動吸込口体左３と可動吸込口体右４とが前方に可動した状態の吸込口本体１０を示す背面図である。図２及び図３に示すように、可動吸込口体左３と、可動吸込口体右４とは、基台１にたいしてそれぞれ吸引口３ｃ，４ｃの周りを回動部として支持されている。また、可動吸込口体左３及び可動吸込口体右４は、外部から力が加わると、掃除方向にたいして前後に回動する可変形態に変化し、外部からの力が除かれると、後述するバネによって、初期の状態（図１に示した状態）に復帰する構成を備えている。
【００２４】
そして、図２及び図３に示すように、可動吸込口体左３と可動吸込口体右４とが前方又は後方に可動した状態では、基台１にたいして吸込口左３ｃ及び吸込口右４ｃの位置は変化せず、吸い込み通路左３ｂと吸い込み通路右４ｂの位置が変化することとなり、同様にして、流入口左Ａ８ａ、流入口左Ｂ８ｂ、流入口左Ｃ８ｃ、流入口右Ａ９ａ、流入口右Ｂ９ｂ及び流入口右Ｃ９ｃの位置が変化することになる。
【００２５】
また、図３及び図４に示すように、可動吸込口体左３と可動吸込口体右４とが前方又は後方に可動した状態では、吸込口左３ｃ、吸込口右４ｃ、吸い込み通路左３ｂ及び吸い込み通路右４ｂが他の部材等によって塞がれることがないので、図１に示した初期の状態と比較して、吸引面積はそのままの状態が維持される構成となっている。したがって、各々の吸込口３ｃ，４ｃ及び吸い込み通路３ｂ，４ｂの吸引圧力が、可動吸込口体左３又は可動吸込口体右４の回動によって変化せず、常に一定となる構成となっている。
【００２６】
図４（ａ）は、図１（ｂ）のＡ−Ａ断面図であり、（ｂ）は、同Ｂ−Ｂ断面図、（ｃ）は、同Ｃ−Ｃ断面図である。また、図５は、基台カバー１ｂ及び基台本体１ａを取り除いた状態を示す平面図である。図４及び図５に示すように、基台本体１ａは、可動吸込口体左３及び可動吸込口体右４を上方から保持する構造となっており、吸込口左３ｃ及び吸込口右４ｃの各々に対応する位置に基台吸込口左１２と、基台吸込口右１３の開口１２ａ，１３ａが設けられている。また、基台本体１ａを覆っている基台カバー１ｂには、空間部１４が形成されており、この空間部１４は、基台吸込口左１２、基台吸込口右１３と連通し、連通管２とも連通する構成となっている。
【００２７】
また、図５の如く、可動吸込口体左３及び可動吸込口体右４は、吸込口左３ｃ及び吸込口右４ｃの斜線で示す部分が基台本体１ａとクサビ２０とによって挟持されている。即ち、可動吸込口体左３及び可動吸込口体右４が前後方向に可動しても斜線で示す部分は可動しない。また、吸込口左３ｃ及び吸込口右４ｃの固定片１５，１５の両側にはバネ１６，１６が設置されている。前述したとおり、外部からの力が加わると可動吸込口体左３及び可動吸込口体右４は、掃除方向にたいして前後に回動する。この時、吸込口左３ｃ及び吸込口右４ｃの固定片１５，１５の両側のバネ１６，１６の一方は伸び、他方は縮む。そして、外部からの力が取り除かれると、バネ１６は元の状態に戻る。即ち、図１に示した状態に戻る。
【００２８】
ここで、吸込口左３ｃ及び吸込口右４ｃの固定片１５，１５には、位置決め溝１５ａ，１５ａが形成されている。また、可動吸込口体左３及び可動吸込口体右４の位置決め溝１５ａに対向する位置には、位置決め突起１７が形成されている。したがって、可動吸込口体左３及び可動吸込口体右４に外部から力が加わらない状態においては、位置決め溝１５ａに位置決め突起１７が嵌合した状態となっており、吸込口本体１０を移動させても図１に示した初期状態が維持される。
【００２９】
一方、可動吸込口体左３及び可動吸込口体右４に外部から力が加わった状態では位置決め突起１７が位置決め溝１５ａから外れて、可動吸込口体左３及び可動吸込口体右４は、力が働いている方向へ可動する。
【００３０】
図６は、本発明に係る吸込口本体の他の実施形態を示す平面図である。図６に示すように、この実施形態では、可動吸込口体左３及び可動吸込口体右４の吸込口左３ｃ及び吸込口右４ｃの内周面に突起部１８を設けている。この突起部１８は、可動吸込口体左３の吸込口左３ｃ又は可動吸込口体右４の吸込口右４ｃ近傍に絡まっている塵埃の除去を促進する機能を有している。尚、突起部１８は、可動吸込口体左３又は可動吸込口体右４の少なくとも一方の吸込口３ｃ，４ｃの内周面に設けることによって、塵埃の除去を促進する機能を果たすことができる。
【００３１】
尚、図示しないが、可動吸込口体左３及び可動吸込口体右４の吸込口３ｃ，４ｃの内周面に突起部１８に代えて溝部を設ける構成としてもよい。この溝部は、可動吸込口体左３の吸込口左３ｃ又は可動吸込口体右４の吸込口右４ｃ近傍に絡まっている塵埃の除去を促進する機能を有している。尚、溝部は、可動吸込口体左３又は可動吸込口体右４の少なくとも一方の吸込口３ｃ，４ｃの内周面に設けることによって、塵埃の除去を促進する機能を果たすことができる。
【００３２】
図７は、本発明に係る吸込口本体を備えた電気掃除機の全体構成を示す図である。図７において、本実施例における電気掃除機４０は、前部に塵埃を捕集する集塵室４１と、後部に電動送風機４２を内蔵した電動送風機室４３をそれぞれ備えた掃除機本体４４と、前記集塵室４１に連通するように一端が掃除機本体４４に接続されるホース４５と、ホース４５の他端に設けられたハンドルパイプ４６に一端が着脱自在に接続される延長管４７とを備え、前記延長管４７の他端に、吸込口本体１０が接続されている。ハンドルパイプ４６には、掃除機本体４４の運転を操作する本体スイッチ４６ａが設けられている。
【００３３】
上記のように構成された電気掃除機の動作、作用は、以下の通りである。掃除機本体４４内に収納された電源コード（図示せず）を引き出し、そのプラグ（図示せず）を室内のコンセント（図示せず）に差し込んで、ハンドルパイプ４６に設けた本体スイッチ４６ａ、吸込具スイッチ４６ｂを操作すると、電動送風機４２の運転が開始し、被掃除面上の塵埃が、吸込口本体１０から外気と共に吸引され、延長管４７、ハンドルパイプ４６、ホース４５を経て集塵室４１に至り、そこで吸引風に含まれた塵埃が捕集され、きれいになった空気は、掃除機本体４４の後部に設けた排気口（図示せず）から排気される。
【００３４】
本発明の特徴は、各々の吸込口及び吸い込み通路の吸引流速及び吸引圧力が、可動吸込口体左又は可動吸込口体右の回動によって変化せず、常に一定となることであり、各々の吸引口及び吸い込み通路の吸引流速が変化しない為、吸引圧力が変化せず、被清掃面に付着した塵埃を常に一定の吸引力で吸引することができる。
【００３５】
また、可動吸込口体左又は可動吸込口体右が回動して復帰させる構造としては、本実施例以外にも、板バネ、ぜんまいバネ、伸縮バネ等を応用した構造が、数多く考えられるが、構造は、目的に応じて、適時、選択できる。
【産業上の利用可能性】
【００３６】
本発明の吸込口本体及び電気掃除機は、狭い場所を清掃する場合に清掃方向にたいして前後方向に可動する吸込口本体及び電気掃除機として使用する。
【符号の説明】
【００３７】
１  基台
１ａ  基台本体
１ｂ  基台カバー
２  連通管
３  可動吸込口体左
３ａ  壁体左
３ｂ  吸い込み通路左
３ｃ  吸込口左
４  可動吸込口体右
４ａ  壁体右
４ｂ  吸い込み通路右
４ｃ  吸込口右
５  前ローラ
６  清掃体
７  後ローラ
８ａ  流入口左Ａ
８ｂ  流入口左Ｂ
８ｃ  流入口左Ｃ
９ａ  流入口右Ａ
９ｂ  流入口右Ｂ
９ｃ  流入口右Ｃ
１０  吸込口本体
１１  継手
１２  基台吸込口左
１２ａ  開口
１３  基台吸込口右
１３ａ  開口
１４  空間部
１５  固定片
１５ａ  位置決め溝
１６  バネ
１７  位置決め突起
１８  突起部
２０  クサビ
４０  電気掃除機
４１  集塵室
４２  電動送風機
４３  電動送風機室
４４  掃除機本体
４５  ホース
４６  ハンドルパイプ
４６ａ  本体スイッチ
４６ｂ  吸込具スイッチ
４７  延長管
【図１】
0005854555.tif 000002
【図２】
0005854555.tif 000003
【図３】
0005854555.tif 000004
【図４】
0005854555.tif 000005
【図５】
0005854555.tif 000006
【図６】
0005854555.tif 000007
【図７】
0005854555.tif 000008